(57)【要約】【課題】防犯以外の効果が加味された防犯対策情報を提供することが可能な防犯対策情報提供システムを提供することを目的とする。【解決手段】住宅Ｈ１における複数の防犯対策情報１０，１１が記憶された防犯対策情報データベース７を備え、当該防犯対策情報データベース７から少なくとも一つの防犯対策情報１０（１１）を検索して抽出する防犯対策情報提供システムにおいて、複数の防犯対策情報１０，１１は、防犯対策情報データベース７に対して、複数のカテゴリーからなる検索条件が各防犯対策情報１０，１１に対応付けられた状態で記憶されている。また、複数のカテゴリーは、住宅Ｈ１における防犯効果についての複数の項目からなる第一カテゴリー１２と、住宅における防犯以外の効果についての複数の項目からなる第二カテゴリー１３と、を含んでいる。【選択図】図１
2015064710.tif 000002
【特許請求の範囲】
【請求項１】
住宅における複数の防犯対策情報が記憶された防犯対策情報データベースを備え、当該防犯対策情報データベースから少なくとも一つの防犯対策情報を検索して抽出する防犯対策情報提供システムにおいて、
前記複数の防犯対策情報は、前記防犯対策情報データベースに対して、複数のカテゴリーからなる検索条件が各防犯対策情報に対応付けられた状態で記憶されており、
前記複数のカテゴリーは、
前記住宅における防犯効果についての複数の項目からなる第一カテゴリーと、
前記住宅における防犯以外の効果についての複数の項目からなる第二カテゴリーと、を含むことを特徴とする防犯対策情報提供システム。
【請求項２】
請求項１に記載の防犯対策情報提供システムにおいて、
前記複数のカテゴリーは、防犯対策が実施される前記住宅の部位を特定するための複数の項目からなる第三カテゴリーを含むことを特徴とする防犯対策情報提供システム。
【請求項３】
請求項２に記載の防犯対策情報提供システムにおいて、
前記住宅の建築図面を記憶する記憶手段を備えており、
前記防犯対策情報には、防犯対策に係るアイテム・要素に係る情報が含まれており、
前記建築図面には、前記アイテム・要素の施行箇所が含まれることを特徴とする防犯対策情報提供システム。
【請求項４】
請求項３に記載の防犯対策情報提供システムにおいて、
前記建築図面は、任意の住宅の建築図面に変更可能であることを特徴とする防犯対策情報提供システム。
【請求項５】
請求項１〜４のいずれか一項に記載の防犯対策情報提供システムにおいて、
前記複数のカテゴリーは、防犯対策が実施される前記住宅の形態を特定するための複数の項目からなる第四カテゴリーを含むことを特徴とする防犯対策情報提供システム。
【請求項６】
請求項５に記載の防犯対策情報提供システムにおいて、
出力手段によって出力される前記防犯対策情報には、前記各カテゴリーにおける複数の項目のうち、当該防犯対策情報の検索条件となる項目の全てが表示されることを特徴とする防犯対策情報提供システム。
【発明の詳細な説明】
【技術分野】
【０００１】
本発明は、住宅における防犯以外の効果も加味した防犯対策情報を提供する防犯対策情報提供システムに関する。
【背景技術】
【０００２】
近年、空き巣等の犯罪件数の増加に伴って住宅の防犯意識が高まっており、これを考慮して防犯対策情報を提供する装置が提案されている（例えば、特許文献１参照）。
この装置は、防犯上危険な箇所を推定する処理装置によって個々の住宅における防犯上の危険箇所を抽出するものである。そして、その抽出結果に対応した防犯グッズの提供も行うことができる。
また、この他にも、防犯の学習を行ったり、防犯対応住宅の建築・リフォームを行ったりする際に用いられる種々の防犯対策情報提供装置やシステム、また住宅の設計手法等が提案されている。
【先行技術文献】
【特許文献】
【０００３】
【特許文献１】特開２００７−１１４８４６号公報
【発明の概要】
【発明が解決しようとする課題】
【０００４】
ところが、従来の技術においては防犯性の向上に重点が置かれるあまり、住宅としてのデザインや居住性等のような防犯以外の効果が等閑になる場合があった。このため、住宅としてのデザインや居住性等のような防犯以外の効果が加味された防犯対策情報の提供が望まれていた。
【０００５】
本発明の課題は、防犯以外の効果が加味された防犯対策情報を提供することが可能な防犯対策情報提供システムを提供することを目的とする。
【課題を解決するための手段】
【０００６】
請求項１に記載の発明は、例えば図１〜図８に示すように、住宅Ｈ１における複数の防犯対策情報１０，１１が記憶された防犯対策情報データベース７を備え、当該防犯対策情報データベース７から少なくとも一つの防犯対策情報１０（１１）を検索して抽出する防犯対策情報提供システムにおいて、
前記複数の防犯対策情報１０，１１は、前記防犯対策情報データベース７に対して、複数のカテゴリーからなる検索条件が各防犯対策情報１０，１１に対応付けられた状態で記憶されており、
前記複数のカテゴリーは、
前記住宅Ｈ１における防犯効果についての複数の項目からなる第一カテゴリー１２と、
前記住宅における防犯以外の効果についての複数の項目からなる第二カテゴリー１３と、を含むことを特徴とする。
【０００７】
請求項１に記載の発明によれば、第一カテゴリー１２と第二カテゴリー１３とを含む検索条件が各防犯対策情報１０，１１に対応付けられているので、防犯対策情報データベース７から少なくとも一つの防犯対策情報１０（１１）を検索して抽出する際に、第一カテゴリー１２における複数の項目と第二カテゴリー１３における複数の項目とを、それぞれ適宜選択して検索することによって、防犯効果だけでなく、防犯以外の効果が加味された防犯対策情報１０，１１を抽出して提供することができる。換言すれば、抽出して得られた防犯対策情報１０，１１にある防犯対策を実施することによって住宅Ｈ１における防犯効果を上げられるだけでなく、防犯以外の効果を上げることも可能となる。
【０００８】
請求項２に記載の発明は、例えば図１〜図７に示すように、請求項１に記載の防犯対策情報提供システムにおいて、
前記複数のカテゴリーは、防犯対策が実施される前記住宅Ｈ１の部位を特定するための複数の項目からなる第三カテゴリー１４を含むことを特徴とする。
【０００９】
請求項２に記載の発明によれば、複数のカテゴリーは、防犯対策が実施される住宅Ｈ１の部位を特定するための複数の項目からなる第三カテゴリー１４を含むので、防犯対策情報データベース７から少なくとも一つの防犯対策情報１０（１１）を検索して抽出する際に、第三カテゴリー１４における複数の項目を適宜選択して検索することによって、住宅Ｈ１の部位を絞り込んだ防犯対策情報１０（１１）を抽出することができる。
【００１０】
請求項３に記載の発明は、例えば図１，図６，図７に示すように、請求項２に記載の防犯対策情報提供システムにおいて、
前記住宅Ｈ１の建築図面を記憶する記憶手段６を備えており、
前記防犯対策情報１０，１１には、防犯対策に係るアイテム・要素に係る情報が含まれており、
前記建築図面には、前記アイテム・要素の施行箇所が含まれることを特徴とする。
【００１１】
請求項３に記載の発明によれば、住宅Ｈ１の建築図面にアイテム・要素の施行箇所が含まれるので、防犯対策を実施するために必要なアイテム・要素に係る情報を参照しながら、建築図面を確認することができる。
【００１２】
請求項４に記載の発明は、例えば図１に示すように、請求項３に記載の防犯対策情報提供システムにおいて、
前記建築図面は、任意の住宅Ｈ１（Ｈ２）の建築図面に変更可能であることを特徴とする。
【００１３】
請求項４に記載の発明によれば、建築図面は、任意の住宅Ｈ１（Ｈ２）の建築図面に変更可能であるため、例えば任意に設計された住宅Ｈ１（Ｈ２）の建築図面であっても防犯対策情報をリンクさせることができる。したがって、任意に設計された住宅Ｈ１（Ｈ２）の場合であっても、防犯対策を実施するために必要な設備・物品等に係る情報を参照しながら、建築図面を確認することができる。
【００１４】
請求項５に記載の発明は、請求項１〜４のいずれか一項に記載の防犯対策情報提供システムにおいて、
前記複数のカテゴリーは、防犯対策が実施される前記住宅Ｈ１の形態を特定するための複数の項目からなる第四カテゴリーを含むことを特徴とする。
【００１５】
請求項５に記載の発明によれば、複数のカテゴリーは、防犯対策が実施される住宅Ｈ１の形態を特定するための複数の項目からなる第四カテゴリーを含むので、防犯対策情報データベースから少なくとも一つの防犯対策情報を検索して抽出する際に、第四カテゴリーにおける複数の項目を適宜選択して検索することによって、住宅Ｈ１の形態を絞り込んだ防犯対策情報を抽出することができる。
【００１６】
請求項６に記載の発明は、例えば図４，図５に示すように、請求項５に記載の防犯対策情報提供システムにおいて、
出力手段２ｂによって出力される前記防犯対策情報１０，１１には、前記各カテゴリー１２，１３，１４における複数の項目のうち、当該防犯対策情報１０，１１の検索条件となる項目の全てが表示されることを特徴とする。
【００１７】
請求項６に記載の発明によれば、出力手段２ｂによって出力される防犯対策情報１０，１１には、各カテゴリー１２，１３，１４における複数の項目のうち、当該防犯対策情報１０，１１の検索条件となる項目の全てが表示されるので、防犯対策情報データベース７から少なくとも一つの防犯対策情報１０（１１）を検索して抽出する際に、実際に検索条件として選択しなかった項目も表示することができる。したがって、実際に検索条件として選択した項目で絞り込んだ防犯対策情報１０，１１であっても、検索条件として選択しなかった項目を含んだ防犯対策情報１０，１１であることを一目で確認することができる。また、各カテゴリー１２，１３，１４における複数の項目のうち、少なくとも一つの項目を選択すれば、防犯対策情報１０，１１の検索が可能となる。
【発明の効果】
【００１８】
本発明によれば、防犯効果だけでなく、防犯以外の効果が加味された防犯対策情報を抽出して提供することができる。
【図面の簡単な説明】
【００１９】
【図１】防犯対策情報提供システムの概略構成を示す図である。
【図２】ウェブページにおけるメイン画面の一例である。
【図３】防犯対策情報検索画面の一例である。
【図４】防犯対策情報表示画面の一例である。
【図５】防犯対策情報表示画面の他の一例である。
【図６】防犯情報対策が対応付けられた住宅の建築図面の一例であり、一階を示す平面図である。
【図７】同、二階の一部を示す平面図である。
【図８】同、二階の一部および中間階を示す平面図である。
【図９】防犯診断画面の一例である。
【図１０】防犯情報対策が対応付けられた住宅の建築図面の他の一例であり、一階を示す平面図である。
【図１１】同、二階を示す平面図である。
【発明を実施するための形態】
【００２０】
以下、図面を参照して本発明の実施の形態について説明する。
本実施の形態の防犯対策情報提供システムは、住宅における複数の防犯対策情報１０，１１が記憶された防犯対策情報データベース７を備え、当該防犯対策情報データベース７から少なくとも一つの防犯対策情報１０（１１）を検索して抽出するものである。
また、複数の防犯対策情報１０，１１は、防犯対策情報データベース７に対して、複数のカテゴリー１２，１３，１４からなる検索条件が各防犯対策情報１０，１１に対応付けられた状態で記憶されている。
【００２１】
このような防犯対策情報提供システムは、例えば住宅メーカーや公共機関等の情報提供者から、住宅の居住者や購入希望者等のユーザが利用する端末に対して、防犯対策情報を提供できるように構成されている。
すなわち、情報提供者側のサーバ１と、ユーザが利用する端末２とが、インターネット３等の通信ネットワークを介して接続されている。そして、情報提供者から提供される防犯対策情報１０，１１は、インターネット３を通じて端末２へと提供されることとなる。
【００２２】
サーバ１は、図１に示すように、通信手段４と、制御手段５と、記憶手段６とを備えた周知のＷＷＷ（World Wide Web）サーバである。
通信手段４は、インターネット３を介して接続された端末２と、サーバ１との間でデータの送受信を行うものである。
制御手段５は、ＣＰＵ（Central Processing Unit）やＲＡＭ（Random Access Memory）・ＲＯＭ（Read Only Memory）等を含んで構成される。サーバ１は、当該制御手段５の制御により、記憶手段６内に予め格納されたプログラム等に従い、サーバ１の各部の制御や、データの転送、各種演算、データの一時的な格納等を行うことができる。さらに、防犯対策情報データベース７から特定の防犯対策情報１０（１１）を抽出することができる。
記憶手段６は、ＣＰＵで読み取り可能な周知の記録媒体を含んだ構成であり、上述したプログラムが格納されている他、防犯対策情報データベース７や建築図面データベース８、ウェブページデータベース（図示せず）等が格納されている。
【００２３】
端末２は、図１に示すように、入力手段２ａと、出力手段２ｂと、を備える。さらに、この端末２は、図示しないＣＰＵやＲＡＭ（ＲＯＭ）、各種プログラムや各種データ等を記憶する記憶手段、通信手段等を備えており、汎用のパーソナルコンピュータで構成されている。
入力手段２ａは、例えばキーボード・マウス等からなり、後述する表示装置に表示されるボタン等を押したり、選択・決定するようにして操作を行うことができる。また、出力手段２ｂは、パーソナルコンピュータのディスプレイ等の表示装置とされている。なお、これら入力手段２ａおよび出力手段２ｂとして、入力と出力を可能とする所謂タッチパネルを採用してもよいものとする。
出力手段２ｂである表示装置は、例えば、ＣＲＴ（Cathode Ray Tube）、ＬＣＤ（Liquid Crystal Display）等から構成され、ＣＰＵからの指示に従い各種データや処理結果を表示することができる。また、インターネット３を介して接続されたサーバ１から伝送される各種データやウェブページ、防犯対策情報１０，１１を表示することができる。なお、出力手段２ｂとして表示装置を用いるとしたが、これに限られるものではなく、例えばプリンター等でもよい。この場合、プリンターから出力された印刷物（カード）を防犯対策情報１０，１１として扱うことができる。
【００２４】
サーバ１における防犯対策情報データベース７には、上述のように、複数のカテゴリー１２，１３，１４からなる検索条件が対応付けられた状態で複数の防犯対策情報１０，１１が記憶されている。
本実施の形態における複数のカテゴリーは、第一カテゴリー１２と、第二カテゴリー１３と、第三カテゴリー１４と、を含んでいる。さらに、これら第一〜第三カテゴリー１２，１３，１４に加えて、第四カテゴリー（図示せず）を含んでいてもよいものとする。
なお、以下では、当該防犯対策情報データベース７に記憶された防犯対策情報として、高窓４０についての防犯対策情報１０と、蔵３６についての防犯対策情報１１について重点的に説明しているが、これに限られるものではない。その他にも例えば、面格子についての防犯対策情報や、トップライトについての防犯対策情報、高さの低い植栽についての防犯対策情報、見通しの良い外構計画についての防犯対策情報、防犯カメラについての防犯対策情報等、多岐にわたる種々の防犯対策情報を挙げることができる。
【００２５】
第一カテゴリー１２は、図３に示すように、住宅Ｈ１における防犯効果についての複数の項目からなる。これら複数の項目は、「狙われない」という項目と、「入られない」という項目と、「盗られない」という項目からなる。
「狙われない」という項目は、当該項目が検索条件として対応付けられた防犯対策情報において、その防犯対策が住宅Ｈ１の狙われにくさの向上を図ったものであるか否か、狙われにくさを効果として発揮できるか否か、を検索条件とするための項目である。
「入られない」という項目は、当該項目が検索条件として対応付けられた防犯対策情報において、その防犯対策が住宅Ｈ１への侵入しにくさの向上を図ったものであるか否か、侵入しにくさを効果として発揮できるか否か、を検索条件とするための項目である。
「盗られない」という項目は、当該項目が検索条件として対応付けられた防犯対策情報において、その防犯対策が被害の出にくさの向上を図ったものであるか否か、被害の出にくさを効果として発揮できるか否か、を検索条件とするための項目である。
【００２６】
第二カテゴリー１３は、図３に示すように、住宅Ｈ１における防犯以外の効果についての複数の項目からなる。これら複数の項目は、「健康・快適」という項目と、「デザイン」という項目と、「エコ・省エネ」という項目と、「プライバシー」という項目と、「風雨対策」という項目と、「メンテナンス」という項目からなる。
「健康・快適」という項目は、当該項目が検索条件として対応付けられた防犯対策情報において、その防犯対策が、居住者への健康配慮がなされたものであるか否か、居住空間の快適性の向上を図ったものであるか否か、を検索条件とするための項目である。
「デザイン」という項目は、当該項目が検索条件として対応付けられた防犯対策情報において、その防犯対策が、住宅Ｈ１のデザイン性の向上を図ったものであるか否か、を検索条件とするための項目である。
「エコ・省エネ」という項目は、当該項目が検索条件として対応付けられた防犯対策情報において、その防犯対策が、地球環境に配慮されたものであるか否か、住宅Ｈ１における省エネ性の向上を図ったものであるか否か、を検索条件とするための項目である。
「プライバシー」という項目は、当該項目が検索条件として対応付けられた防犯対策情報において、その防犯対策が、住宅Ｈ１におけるプライバシーの確保を図ったものであるか否か、を検索条件とするための項目である。
「風雨対策」という項目は、当該項目が検索条件として対応付けられた防犯対策情報において、その防犯対策が、住宅Ｈ１における風雨対策として機能するものであるか否か、を検索条件とするための項目である。
「メンテナンス」という項目は、当該項目が検索条件として対応付けられた防犯対策情報において、その防犯対策が、メンテナンスのしやすさの向上を図ったものであるか否か、を検索条件とするための項目である。
【００２７】
第三カテゴリー１４は、図３に示すように、防犯対策が実施される住宅Ｈ１の部位を特定するための複数の項目からなる。また、これら複数の項目は、「窓」という項目と、「玄関・勝手口」という項目と、「建物形状」という項目と、「エクステリア」という項目と、「空調・換気」という項目と、「蔵（大型収納）」という項目からなる。
すなわち、これら第三カテゴリー１４における各項目は、当該各項目が検索条件として対応付けられた防犯対策情報において、その防犯対策を実施するために必要なアイテム・要素が、住宅Ｈ１のいずれの箇所に施されるものであるか、を検索条件とするための項目である。
【００２８】
第四カテゴリーは、防犯対策が実施される住宅Ｈ１の形態を特定するための複数の項目からなる。これら複数の項目は、「一戸建て」という項目と、「共同住宅」という項目と、「分譲団地」という項目と、「リフォーム」という項目からなる。
すなわち、これら第四カテゴリーにおける各項目は、防犯対策が実施される住宅Ｈ１が、「一戸建て」であるか、「共同住宅」であるか、「分譲団地」であるか、「リフォーム」であるかを検索条件とするための項目である。
【００２９】
建築図面データベース８には、例えば図６〜図８に示すような住宅Ｈ１の建築図面が記憶されている。建築図面の種類としては、図６〜図８に示す平面図だけでなく、立面図、断面図、付近見取図等を始めとする各種建築図面が挙げられる。
また、防犯対策情報１０，１１には、防犯対策に係るアイテム・要素に係る情報が含まれており、建築図面には、当該アイテム・要素の施行箇所が含まれている。
なお、防犯対策情報１０におけるアイテム・要素は「高窓４０」である。図８に示す建築図面である平面図に、当該「高窓４０」の施行箇所が示されている。
また、防犯対策情報１１におけるアイテム・要素は「蔵３６（大型収納）」（「蔵のある家」）である。図７に示す建築図面である平面図に、当該「蔵３６（大型収納）」の施行箇所が示されている。
【００３０】
また、このような建築図面データベース８に記憶された建築図面は、サーバ１からインターネット３を介して端末２に送信され、端末２の出力手段２ｂである表示装置によって表示される。
また、建築図面は、任意の住宅（例えば図１０，図１１の住宅Ｈ２）の建築図面に変更可能である。より具体的には、ＣＡＤによって作成された建築図面と防犯対策情報１０，１１とを連携させて、当該防犯対策情報１０，１１をＣＡＤデータ上に配置することができる。したがって、他の建築図面のＣＡＤデータと防犯対策情報１０，１１とを連携させれば、当該防犯対策情報１０，１１を他の建築図面のＣＡＤデータ上に配置することができる。
変更された建築図面同様にも、端末２の出力手段２ｂである表示装置によって表示することができる。
【００３１】
ウェブページデータベースには、例えば図２〜図５に示すような防犯対策に係るウェブページのデータが記憶されている。また、このようなウェブページは、サーバ１からインターネット３を介して端末２に送信され、端末２の出力手段２ｂである表示装置によって表示される。
【００３２】
図２は、サーバ１から端末２に送信される防犯対策に係るウェブページにおけるメイン画面の一例である。このメイン画面には、ユーザが防犯対策情報検索画面を選択するための防犯対策情報検索画面選択部９ａと、ユーザが防犯診断画面を選択するための防犯診断画面選択部９ｂとが表示されている。
防犯対策情報検索画面選択部９ａには「ＳＴＡＲＴ」ボタンＢ１の表示があり、防犯診断画面選択部９ｂには「診断する」ボタンＢ２の表示がある。そして、「ＳＴＡＲＴ」ボタンＢ１を押すと、図３に示す防犯対策情報検索画面に移り、「診断する」ボタンＢ２を押すと、図９に示す防犯診断画面に移る。
【００３３】
防犯対策情報検索画面には、図３に示すように、第一カテゴリー１２を表示する欄と、第二カテゴリー１３を表示する欄と、第三カテゴリー１４を表示する欄とが表示されている。なお、図示はしないが、第四カテゴリーを表示する欄を表示してもよいものとする。
また、防犯対策情報検索画面には、検索結果を表示する画面に移行するための「検索」ボタンＢ３も表示されている。
【００３４】
第一カテゴリー１２を表示する欄には、「狙われない」ボタン１２ａと、「入られない」ボタン１２ｂと、「盗られない」ボタン１２ｃが表示される。
「狙われない」ボタン１２ａを入力手段２ａによって押すことで、第一カテゴリー１２における「狙われない」という項目を、防犯対策情報１０，１１の検索条件として選択することができる。
「入られない」ボタン１２ｂを入力手段２ａによって押すことで、第一カテゴリー１２における「入られない」という項目を、防犯対策情報１０，１１の検索条件として選択することができる。
「盗られない」ボタン１２ｃを入力手段２ａによって押すことで、第一カテゴリー１２における「盗られない」という項目を、防犯対策情報１０，１１の検索条件として選択することができる。
【００３５】
第二カテゴリー１３を表示する欄には、「健康・快適」ボタン１３ａと、「デザイン」ボタン１３ｂと、「エコ・省エネ」ボタン１３ｃと、「プライバシー」ボタン１３ｄと、「風雨対策」ボタン１３ｅと、「メンテナンス」ボタン１３ｆが表示される。
「健康・快適」ボタン１３ａを入力手段２ａによって押すことで、第二カテゴリー１３における「健康・快適」という項目を、防犯対策情報１０，１１の検索条件として選択することができる。
「デザイン」ボタン１３ｂを入力手段２ａによって押すことで、第二カテゴリー１３における「デザイン」という項目を、防犯対策情報１０，１１の検索条件として選択することができる。
「エコ・省エネ」ボタン１３ｃを入力手段２ａによって押すことで、第二カテゴリー１３における「エコ・省エネ」という項目を、防犯対策情報１０，１１の検索条件として選択することができる。
「プライバシー」ボタン１３ｄを入力手段２ａによって押すことで、第二カテゴリー１３における「プライバシー」という項目を、防犯対策情報１０，１１の検索条件として選択することができる。
「風雨対策」ボタン１３ｅを入力手段２ａによって押すことで、第二カテゴリー１３における「風雨対策」という項目を、防犯対策情報１０，１１の検索条件として選択することができる。
「メンテナンス」ボタン１３ｆを入力手段２ａによって押すことで、第二カテゴリー１３における「メンテナンス」という項目を、防犯対策情報１０，１１の検索条件として選択することができる。
【００３６】
第三カテゴリー１４を表示する欄には、「窓」ボタン１４ａと、「玄関・勝手口」ボタン１４ｂと、「建物形状」ボタン１４ｃと、「エクステリア」ボタン１４ｄと、「空調・換気」ボタン１４ｅと、「蔵（大型収納）」ボタン１４ｆが表示される。
「窓」ボタン１４ａを入力手段２ａによって押すことで、第三カテゴリー１４における「窓」という項目を、防犯対策情報１０，１１の検索条件として選択することができる。
「玄関・勝手口」ボタン１４ｂを入力手段２ａによって押すことで、第三カテゴリー１４における「玄関・勝手口」という項目を、防犯対策情報１０，１１の検索条件として選択することができる。
「建物形状」ボタン１４ｃを入力手段２ａによって押すことで、第三カテゴリー１４における「建物形状」という項目を、防犯対策情報１０，１１の検索条件として選択することができる。
「エクステリア」ボタン１４ｄを入力手段２ａによって押すことで、第三カテゴリー１４における「エクステリア」という項目を、防犯対策情報１０，１１の検索条件として選択することができる。
「空調・換気」ボタン１４ｅを入力手段２ａによって押すことで、第三カテゴリー１４における「空調・換気」という項目を、防犯対策情報１０，１１の検索条件として選択することができる。
「蔵（大型収納）」ボタン１４ｆを入力手段２ａによって押すことで、第三カテゴリー１４における「蔵（大型収納）」という項目を、防犯対策情報１０，１１の検索条件として選択することができる。
【００３７】
第四カテゴリーを表示する欄がある場合には、「一戸建て」ボタンと、「共同住宅」ボタンと、「分譲団地」ボタンと、「リフォーム」ボタンが表示される。
「一戸建て」ボタン（図示せず）を入力手段２ａによって押すことで、第四カテゴリーにおける「一戸建て」という項目を、防犯対策情報１０，１１の検索条件として選択することができる。
「共同住宅」ボタン（図示せず）を入力手段２ａによって押すことで、第四カテゴリーにおける「共同住宅」という項目を、防犯対策情報１０，１１の検索条件として選択することができる。
「分譲団地」ボタン（図示せず）を入力手段２ａによって押すことで、第四カテゴリーにおける「分譲団地」という項目を、防犯対策情報１０，１１の検索条件として選択することができる。
「リフォーム」ボタン（図示せず）を入力手段２ａによって押すことで、第四カテゴリーにおける「リフォーム」という項目を、防犯対策情報１０，１１の検索条件として選択することができる。
【００３８】
図４は、サーバ１から端末２に送信される防犯対策に係るウェブページにおける防犯対策情報表示画面である。当該表示画面には、ウェブページとして生成された防犯対策情報１０が表示されている。また、上述のように、防犯対策情報１０におけるアイテム・要素は「高窓４０」である。
ウェブページとして生成された防犯対策情報１０には、第一カテゴリー１２が表示される欄と、第二カテゴリー１３が表示される欄と、第三カテゴリー１４が表示される欄とがある。また、これらの表示欄には、各カテゴリー１２，１３，１４を構成する各項目がそれぞれ表示されている。
さらに、このような防犯対策情報１０には、アイテム・要素の名称が表示される名称欄１５と、防犯対策の詳細を説明するための説明欄１６と、画像が表示される画像欄１７とがある。
【００３９】
「高窓４０」についての防犯対策情報１０を、より詳細に説明すると、図４に示すように当該防犯対策情報１０には、第一カテゴリー１２における「狙われない」という項目と、「入られない」という項目とが対応付けられている。
すなわち、高窓４０は、採光や排煙のために部屋の天井近くに設けられる窓であり、この高窓４０を利用して住宅Ｈ１内に侵入することは困難であるため、狙いにくく、入りにくいことが考えられる。そのため、「狙われない」という項目と、「入られない」という項目とが対応付けられている。
【００４０】
第二カテゴリー１３においては、「健康・快適」という項目と、「エコ・省エネ」という項目と、「プライバシー」という項目と、「風雨対策」という項目とが、防犯対策情報１０に対応付けられている。
すなわち、高窓４０は、通常の高さの窓よりも部屋の奥まで採光が可能となるとともに、上昇する性質を持つ部屋内の暖気を排出しやすいため、居住者の健康的な生活や快適性に配慮することができる。
また、温暖な季節においては暖気を排出でき、寒冷な季節においては太陽光を部屋の奥まで採ることができるので、その分、空調に係るエネルギーを低減させることができる。
また、高窓４０は、通常の窓よりも高い位置に設けられるので、外部から住宅Ｈ１内に向かう視線を遮蔽しやすい。
さらに、高窓４０は、部屋の天井近くの高さに設けられるため、屋根の直下階においては軒下に入りやすく、風雨が侵入しにくい。また、この高窓４０を横すべり出し窓とすれば、暖気を排出しやすく風雨が侵入しにくい。
【００４１】
第三カテゴリー１４においては、「窓」という項目が、防犯対策情報１０に対応付けられている。すなわち、高窓４０は、住宅Ｈ１において「窓」の部分に設けられるものであり、当該「窓」における防犯対策のために設けられるものである。
第四カテゴリーを採用する場合においては、「一戸建て」という項目が、防犯対策情報１０に対応付けられる。
【００４２】
なお、図８に示す建築図面である平面図は端末２の出力手段２ｂである表示装置に表示される。そして、当該平面図には「高窓４０」の施行箇所が示されるとともに、この平面図上に「高窓４０」の防犯対策情報１０が配置される。
また、このように表示装置に出力された平面図には「高窓４０」の施行箇所に対応して「窓」と表記されたボタンＢ４があり、ユーザは、当該ボタンＢ４を押すことによって防犯対策情報１０を確認することができる。
この時、確認できる情報は、図４に示す防犯対策情報１０全体でもよいし、当該防犯対策情報１０のダイジェスト版であってもよい。
ここで、ダイジェスト版とは、図４に示す防犯対策情報１０を詳細版と位置付け、当該防犯対策情報１０よりも概略化された内容の防犯対策情報を指しているものとする。このダイジェスト版には、図示はしないが、例えばアイテム・要素の名称が表示される名称欄と、防犯対策の詳細を説明するための説明欄と、画像が表示される画像欄と、各カテゴリー１２，１３，１４が表示される欄の簡易版等が表示される。
【００４３】
図５は、サーバ１から端末２に送信される防犯対策に係るウェブページにおける防犯対策情報表示画面である。当該表示画面には、ウェブページとして生成された防犯対策情報１１が表示されている。また、上述のように、防犯対策情報１１におけるアイテム・要素は「蔵３６（大型収納）」（「蔵のある家」）である。
ウェブページとして生成された防犯対策情報１１には、第一カテゴリー１２が表示される欄と、第二カテゴリー１３が表示される欄と、第三カテゴリー１４が表示される欄とがある。また、これらの表示欄には、各カテゴリー１２，１３，１４を構成する各項目がそれぞれ表示されている。
さらに、このような防犯対策情報１１には、アイテム・要素の名称が表示される名称欄１５と、防犯対策の詳細を説明するための説明欄１６と、画像が表示される複数の画像欄１７，１８とがある。
【００４４】
「蔵３６（大型収納）」（「蔵のある家」）についての防犯対策情報１１を、より詳細に説明すると、図５に示すように当該防犯対策情報１１には、第一カテゴリー１２における「入られない」という項目が対応付けられている。
また、第二カテゴリー１３においては、「健康・快適」という項目と、「プライバシー」という項目が、防犯対策情報１０に対応付けられている。
また、第三カテゴリー１４においては、「蔵（大型収納）」という項目が、防犯対策情報１０に対応付けられている。
さらに、第四カテゴリーを採用する場合においては、「一戸建て」という項目が、防犯対策情報１０に対応付けられる。
すなわち、蔵３６は、居室ではなく収納室であるため基本的には人が出入りする大きな窓が設けられない。さらに住宅Ｈ１の一階と二階との間や二階床よりも上方に配設されることにより、極めて侵入しにくい。
また、蔵３６がある分、住宅Ｈ１の二階は隣家よりも０．５階分高くなる場合があり、二階からの眺めが良くなると同時に、プライバシーの確保が可能となる。
さらに、蔵３６が住宅Ｈ１の一階と二階との間に設けられれば、上階から下階への騒音を低減でき、快適な居住環境を形成することが可能となる。
【００４５】
なお、図７に示す建築図面である平面図は端末２の出力手段２ｂである表示装置に表示される。そして、当該平面図には「蔵３６（大型収納）」の施行箇所が示されるとともに、この平面図上に「蔵３６（大型収納）」の防犯対策情報１１が配置される。
また、このように表示装置に出力された平面図には「蔵３６（大型収納）」の施行箇所に対応して「蔵（収納）」と表記されたボタンＢ５があり、ユーザは、当該ボタンＢ５を押すことによって防犯対策情報１１を確認することができる。
この時、確認できる情報は、図５に示す防犯対策情報１１全体でもよいし、当該防犯対策情報１１のダイジェスト版であってもよい。
【００４６】
なお、本実施の形態においては、図６〜図８に示す住宅Ｈ１に対し、上述のような「高窓４０」、「蔵３６（大型収納）」だけでなく、様々な箇所に防犯対策が施されている。
そこで、まず図６〜図８に示す住宅Ｈ１について説明する。
図６は、住宅Ｈ１の一階を示す平面図であり、敷地の北側にカーポート２０および玄関ポーチ２１が配設されている。敷地の南側は庭２２となっており、敷地の東側および西側は通路２３，２４となっている。
一階の北側に玄関ポーチ２１に通じる玄関２５が配設されている。玄関２５の東側にはトイレ２６が配設され、西側には和室２７が配設されている。また、玄関２５の南側には階段２８が配設されている。
和室２７の西側には浴室２９および洗面所３０が配設されている。また、和室２７や階段２８、洗面所３０の南側には、リビング３１ａとダイニング３１ｂとキッチン３１ｃの機能を一室に併存させた居室３１が配設されている。
【００４７】
階段２８を上った先は二階となっており、階段２８の降り口から西に向かって廊下３２が配設されている。廊下３２の西側端にはトイレ３３が配設されている。廊下３２およびトイレ３３の南側には、廊下３２に対して開放された多目的室３４が配設されている。また、この多目的室３４の東側には主寝室３５が配設されている。
また、廊下３２の北側には、上述の「蔵３６（大型収納）」が配設されている。当該蔵３６は、二階床と、この二階床の上方に設けられる中間床との間に形成される低天井収納室であり、その天井高は０．８ｍ〜１．４ｍの範囲に設定されている。なお、この０．８ｍ〜１．４ｍの天井高とは、人が蔵３６に入って、何とか作業ができる最低限の高さを確保するための高さ範囲であり、かつ、このように天井高を必要最小限に抑えることで、住宅Ｈ１の高さが高くなることによって隣接する住宅に及ぼす日照減少等の影響を極力少なくすることができる高さ範囲である。
また、廊下３２の北側であって、かつトイレ３３の東側には、中間床上に上がるための階段３７が配設されている。階段３７を上った先には廊下３８があり、この廊下３８の北側には、蔵３６の上方に位置する部屋３９が配設されている。
部屋３９は、将来的に二つに区分できるように出入口が二つ設けられている。さらに、この部屋３９の北側外壁に、上述の「高窓４０」が二つ設けられている。
【００４８】
以上のような住宅Ｈ１に対しては、「窓」ボタンＢ４および「蔵（収納）」ボタンＢ５で表される防犯対策の他にも、図６〜図８に示すように、様々な防犯対策が施されている。すなわち、一階には、第三カテゴリー１４の各項目を表すボタンＢ６〜Ｂ１９が複数配置されている。また、二階には、第三カテゴリー１４の各項目を表すボタンＢ２０，Ｂ２１が配置されている。
例えば「窓」ボタンＢ６を押すと、この位置に設けられた窓が、補助錠が取り付けられた防犯ガラスであり、さらにシャッター付きである旨の説明が防犯対策情報（図示せず）として表示される。
また、例えば「建物形状」ボタンＢ２１を押すと、この位置の建物形状が、下階に対してオーバーハングした状態（ねずみ返し）である旨の説明が防犯対策情報（図示せず）として表示される。
その他のボタンについても、それぞれに適切な説明がなされ、防犯対策情報として表示される。
【００４９】
次に、防犯対策情報１０を抽出する手順について説明する。なお、この手順は、端末２において行われる手順である。また、以下の説明では、「高窓４０」の防犯対策情報１０を的確に導き出すために必要な手順を記載するが、実際にはユーザの任意の選択によって各種の防犯対策情報の検索および抽出が行われる。
【００５０】
まず、図２に示すメイン画面において、防犯対策情報検索画面選択部９ａにある「ＳＴＡＲＴ」ボタンＢ１を押す。そして、画面を、図３に示す防犯対策情報検索画面に移行させる。
続いて、防犯対策情報検索画面において、まず、第一カテゴリー１２の表示欄にある「狙われない」ボタン１２ａと、「入られない」ボタン１２ｂを押す。
なお、この時点で「検索」ボタンＢ３を押したとしても、防犯対策情報１０を抽出することができるが、他の防犯対策情報も同時に抽出される場合がある。
【００５１】
より絞り込みを行うには、防犯対策情報検索画面において、第二カテゴリー１３の表示欄にある「健康・快適」ボタン１３ａと、「エコ・省エネ」ボタン１３ｃと、「プライバシー」ボタン１３ｄと、「風雨対策」ボタン１３ｅとを押す。
さらに、防犯対策情報検索画面において、第三カテゴリー１４の表示欄にある「窓」ボタン１４ａを押す。なお、第四カテゴリーの表示欄がある場合には、さらに「一戸建て」ボタンを押す。
【００５２】
以上のように検索条件の選択が完了したら、「検索」ボタンＢ３を押す。この時、端末２からの入力情報がサーバ１に送信される。そして、サーバ１では、受信した入力情報に基づいて、防犯対策情報データベース７の中から、ユーザによって選択された検索条件に合致する防犯対策情報１０を検索して抽出することができる。
抽出された防犯対策情報１０は、サーバ１から端末２へと送信され、端末２の出力手段２ｂである表示装置によって表示することができる。
なお、本実施の形態では、「検索」ボタンＢ３を押すことで防犯対策情報１０を表示できるものとしたが、まずは検索結果ウェブページを表示装置によって表示してもよい。この場合、検索結果ウェブページには、上述のような防犯対策情報１０のダイジェスト版が表示される。検索の結果、複数の防犯対策情報が抽出された場合には、複数の防犯対策情報のダイジェスト版を並べて配置する。
そして、検索結果ウェブページに表示されたダイジェスト版を選択することによって、詳細版である防犯対策情報１０（１１）のカードを新たなウェブページとして表示することができる。
【００５３】
なお、抽出されて出力手段２ｂである表示装置に表示された防犯対策情報１０には、各カテゴリー１２，１３，１４における複数の項目のうち、当該防犯対策情報１０の検索条件となる項目の全てが表示されている。
すなわち、図４に示すように、検索条件として選択された各項目は、検索条件として選択されなかった各項目とは異なり、例えば各表示欄における文字の濃度や明度を高くするなどしてアクティブな状態となっている。一方、検索条件として選択されなかった各項目は、例えばグレイアウトした状態として、非アクティブな状態であることを表現する。また、各項目をアクティブな状態または非アクティブな状態として表示する手法については特に限定されるものではない。
要するに、出力された防犯対策情報１０をユーザが確認した時に防犯対策に係るアイテム・要素が、どのような効果を発揮することができるのかを確認できればよい。図４の例において検索条件として選択された項目が、例えば「狙われない」と「入られない」だけであったとしても、「健康・快適」等の各項目がアクティブな状態となっていれば、当該アイテム・要素が「健康・快適」を向上させる効果のあるものであることは一目で確認することができる。
【００５４】
また、「蔵３６（大型収納）」（「蔵のある家」）の防犯対策情報１１を抽出する手順については、上述の防犯対策情報１０を抽出する手順と略同様であるため、説明を省略する。すなわち、検索条件として選択される項目が、「蔵３６（大型収納）」に対応しているものであるか否か、という点でのみ異なる。
【００５５】
次に、防犯対策に係るウェブページにおけるメイン画面のうち、ユーザが防犯診断画面を選択するための防犯診断画面選択部９ｂにおいて、「診断する」ボタンＢ２を押した場合について説明する。
【００５６】
「診断する」ボタンＢ２を押すと、図９に示す防犯診断画面に移る。なお、図２のメイン画面および図９の防犯診断画面においては、様々な防犯対策が採用された防犯対策の観点において優良な住宅を「いい家」と称し、防犯対策が採用されず防犯対策の観点において優良ではない住宅を「わるい家」と称する。
そして、図９に示す防犯診断画面では、「いい家」と「わるい家」とを比較して、どのような点に留意して住宅の購入（リフォームを含む）を考えればよいかを、ユーザに対して提案することができる。
【００５７】
「いい家」は、図６〜図８に示す住宅Ｈ１であり、「わるい家」は、図１０および図１１に示す住宅Ｈ２である。住宅Ｈ２の間取りや設備等は、図６〜図８および図１０，図１１に示すように、蔵３６が無い点や所々の若干のデザインの相違点を除いて住宅Ｈ１と略等しい。そのため、同一の箇所については同一の符号を使用する。
また、図９に示す防犯診断画面には、「いい家」ボタンＢ２２と、「わるい家」ボタンＢ２３とが表示されている。そして、「いい家」ボタンＢ２２を押すことで、図６〜図８に示す住宅Ｈ１を表示する画面へと移行し、「わるい家」ボタンＢ２３を押すことで、図１０，図１１に示す住宅Ｈ２を表示する画面へと移行する。
【００５８】
図６〜図８に示す住宅Ｈ１に対して様々な防犯対策が施されていることは上述の通りであるため、ここでは説明を省略する。
図１０，図１１に示す住宅Ｈ２に対しては、防犯対策上好ましくない点として複数のボタンＢ２４〜Ｂ３０が配置されている。
例えば「エクステリア」ボタンＢ２４を押すと、この位置にある樹木の高さが高いために死角が発生しやすくなる旨の説明が、防犯上良くない例として表示される。
また、例えば「建物形状」ボタンＢ３０を押すと、この位置にあるバルコニーの手摺が透視性のないパネル状の手摺壁であり、死角になりやすい旨の説明が、防犯上良くない例として表示される。
その他のボタンについても、防犯上良くない例としての説明がそれぞれ表示される。
【００５９】
さらに、図９に示す防犯診断画面では、住宅Ｈ１（またはＨ２）の立面図を四方向から表示することができる。
すなわち、図９には、立面図の方向を選択する方向選択欄Ｃがあり、方向選択欄Ｃ内に、住宅Ｈ１（Ｈ２）の一階の間取り図が表示されている。また、方向選択欄Ｃの四方には矢印型ボタンＹ１〜Ｙ４が配置されている。
図９においては、住宅Ｈ１の北側側面の立面図が表示されており、矢印型ボタンＹ１が押された状態となっている。南側側面の立面図を表示したい時には、矢印型ボタンＹ３を押すと、図９に表示されている住宅Ｈ１（Ｈ２）の立面図を切り替えることができる。
【００６０】
また、防犯対策上留意すべき点が立面図上に表れる場合は、ユーザの注意を引くマーク（例えば感嘆符）が施されたボタンＢ３１〜Ｂ３３が表示される。そして、ユーザが、このマーク付きボタンＢ３１〜Ｂ３３のいずれかを押すことによって、防犯対策上留意すべき点を説明する欄が新たに表示される。
以上のようにしてユーザに対して、「いい家」と「わるい家」の留意点を示すことができ、各種提案をユーザに行うことができる。
【００６１】
本実施の形態によれば、第一カテゴリー１２と第二カテゴリー１３とを含む検索条件が各防犯対策情報１０，１１に対応付けられているので、防犯対策情報データベース７から少なくとも一つの防犯対策情報１０（１１）を検索して抽出する際に、第一カテゴリー１２における複数の項目と第二カテゴリー１３における複数の項目とを、それぞれ適宜選択して検索することによって、防犯効果だけでなく、防犯以外の効果が加味された防犯対策情報１０，１１を抽出して提供することができる。換言すれば、抽出して得られた防犯対策情報１０，１１にある防犯対策を実施することによって住宅Ｈ１における防犯効果を上げられるだけでなく、防犯以外の効果を上げることも可能となる。
【００６２】
また、複数のカテゴリーは、防犯対策が実施される住宅Ｈ１の部位を特定するための複数の項目からなる第三カテゴリー１４を含むので、防犯対策情報データベース７から少なくとも一つの防犯対策情報１０（１１）を検索して抽出する際に、第三カテゴリー１４における複数の項目を適宜選択して検索することによって、住宅Ｈ１の部位を絞り込んだ防犯対策情報１０（１１）を抽出することができる。
【００６３】
また、住宅Ｈ１の建築図面にアイテム・要素の施行箇所が含まれるので、防犯対策を実施するために必要なアイテム・要素に係る情報を参照しながら、建築図面を確認することができる。
【００６４】
また、建築図面は、任意の住宅Ｈ１（Ｈ２）の建築図面に変更可能であるため、例えば任意に設計された住宅Ｈ１（Ｈ２）の建築図面であっても防犯対策情報をリンクさせることができる。したがって、任意に設計された住宅Ｈ１（Ｈ２）の場合であっても、防犯対策を実施するために必要な設備・物品等に係る情報を参照しながら、建築図面を確認することができる。
【００６５】
また、複数のカテゴリーは、防犯対策が実施される住宅Ｈ１の形態を特定するための複数の項目からなる第四カテゴリーを含むので、防犯対策情報データベースから少なくとも一つの防犯対策情報を検索して抽出する際に、第四カテゴリーにおける複数の項目を適宜選択して検索することによって、住宅Ｈ１の形態を絞り込んだ防犯対策情報を抽出することができる。
【００６６】
また、出力手段２ｂによって出力される防犯対策情報１０，１１には、各カテゴリー１２，１３，１４における複数の項目のうち、当該防犯対策情報１０，１１の検索条件となる項目の全てが表示されるので、防犯対策情報データベース７から少なくとも一つの防犯対策情報１０（１１）を検索して抽出する際に、実際に検索条件として選択しなかった項目も表示することができる。したがって、実際に検索条件として選択した項目で絞り込んだ防犯対策情報１０，１１であっても、検索条件として選択しなかった項目を含んだ防犯対策情報１０，１１であることを一目で確認することができる。また、各カテゴリー１２，１３，１４における複数の項目のうち、少なくとも一つの項目を選択すれば、防犯対策情報１０，１１の検索が可能となる。
【符号の説明】
【００６７】
Ｈ１  住宅
１  サーバ
２  端末
２ａ  入力手段
２ｂ  出力手段
３  インターネット
７  防犯対策情報データベース
１０  防犯対策情報
１１  防犯対策情報
１２  第一カテゴリー
１３  第二カテゴリー
１４  第三カテゴリー
【図１】
2015064710.tif 000003
【図２】
2015064710.tif 000004
【図３】
2015064710.tif 000005
【図４】
2015064710.tif 000006
【図５】
2015064710.tif 000007
【図６】
2015064710.tif 000008
【図７】
2015064710.tif 000009
【図８】
2015064710.tif 000010
【図９】
2015064710.tif 000011
【図１０】
2015064710.tif 000012
【図１１】
2015064710.tif 000013